(57)【要約】【課題】僅かな寸法の調整を好適に行うことができ、これによって、建物用枠材のカバーによる建物用枠材のカバー処理を容易に行うことが可能で、かつ仕上がり度合にばらつきが生じ難い建物用枠材のカバーを提供する。【解決手段】表面に化粧シート１２が設けられた長手平面板１１１と短手平面板１１２とからなる断面視Ｌ字型の長尺状の薄板１１であって、短手平面板１１２の裏面に長尺方向に沿って延びる複数の凹部１１１１Ａが連続的に形成され、短手平面板１１２の短手方向の中途部に凹部１１１１Ａの谷の幅寸法を他の凹部１１１１Ａよりも拡大した折り曲げ部１１１１Ｂを設けている。【選択図】図１
2016102321.tif 000002
【特許請求の範囲】
【請求項１】
表面に化粧シートが設けられた長尺状の薄板であって、該薄板の裏面に長尺方向に沿って延びる複数の長溝が連続的に形成され、前記複数の長溝のうちの一部の長溝は、谷の幅寸法が他の長溝よりも拡大されて折り曲げ部を形成することを特徴とする建物用枠材のカバー。
【請求項２】
前記薄板の側端縁を覆う長尺状のキャップを備えていることを特徴とする請求項１に記載の建物用枠材のカバー。
【請求項３】
表面に化粧シートが設けられた長手平面板と短手平面板とからなる断面視Ｌ字型の長尺状の薄板であって、前記短手平面板の裏面に長尺方向に沿って延びる複数の長溝が連続的に形成され、当該短手平面板の短手方向の中途部に前記長溝の谷の幅寸法を他の長溝よりも拡大した折り曲げ部を設けたことを特徴とする建物用枠材のカバー。
【請求項４】
表面に化粧シートが設けられた長手平面板と短手平面板とからなる断面視Ｌ字型の長尺状の薄板であって、前記長手平面板の側端縁を覆う長尺状のキャップを備えていることを特徴とする建物用枠材のカバー。
【請求項５】
前記長手平面板の裏面に長尺方向に沿って延びる複数の長溝を連続的に設けたことを特徴とする請求項４に記載の建物用枠材のカバー。
【請求項６】
前記長手平面板の裏面に長尺方向に沿って延びる突起部を所定のピッチで複数設けたことを特徴とする請求項４又は５に記載の建物用枠材のカバー。
【請求項７】
前記突起部の付け根にくびれ部を設けたことを特徴とする請求項６に記載の建物用枠材のカバー。
【請求項８】
前記短手平面板の裏面に長尺方向に沿って延びる複数の長溝が連続的に形成され、当該短手平面板の短手方向の中途部に前記長溝の谷の幅寸法を他の長溝よりも拡大した折り曲げ部を設けたことを特徴とする請求項４乃至７の何れか１項に記載の建物用枠材のカバー。
【請求項９】
前記折り曲げ部の長溝の溝深さが他の長溝よりも深いことを特徴とする請求項１、２、３又は８に記載の建物用枠材のカバー。
【発明の詳細な説明】
【技術分野】
【０００１】
本発明は、窓枠、ドア枠等の建物用枠材を覆うための、建物用枠材のカバーに関し、特にリフォーム時に汚れたり傷ついたり或いは美観を変えるために窓枠、ドア枠等の枠材を覆うように取り付けられて用いられる化粧カバーに関する。
【背景技術】
【０００２】
従来、建物用枠材（窓枠）を覆うための建物用枠材のカバーが知られていた。建物用枠材の寸法には、様々なものがあるため、建物用枠材のカバーは、様々な寸法の建物用枠材に対応することができることが好ましい。特許文献１には、断面視Ｌ字型に形成された長尺状の薄板において、建物用枠材側の表面に長手方向に沿って延びる複数の切り溝が形成された建物用枠材のカバーが開示されている。この建物用枠材のカバーは、何れかの切り溝で切断することで、建物用枠材の寸法に合わせてサイズ調整が出来るようになっている。また、特許文献２、３には、薄板の外面（裏面）に溝が形成されて、溝に沿って折り曲げて建物用枠材を覆うことが可能な建物用枠材のカバーが開示されている。これらの建物用枠材のカバーは、建物用枠材の長さ、幅、チリ寸法に応じて、所定の部位が切断可能であり、この切断によってサイズ調整が出来るようになっている。
【先行技術文献】
【特許文献】
【０００３】
【特許文献１】特開２００４−１０７８７７号公報
【特許文献２】特開２００５−１６２２７号公報
【特許文献３】特開２００５−１２７０６７号公報
【発明の概要】
【発明が解決しようとする課題】
【０００４】
上記特許文献１、２、３の建物用枠材のカバーは、その薄板が切り溝又は所定の部位で切断されることで、サイズ調整が出来るようになっているが、薄板の切断によるサイズ調整では、僅かな寸法の調整が難しい。特に、建物用枠材の外面側（裏面側）も覆うためには、上記特許文献１、２、３の建物用枠材のカバーでは、建物用枠材の厚みに合わせた寸法の調整が難しい。このため、建物用枠材のカバーを建物用枠材に取り付けることは容易ではなく、かつ、施工者の腕等によって、仕上がり度合にばらつきが生じ易かった。
【０００５】
上記課題を解決するために、本発明は、僅かな寸法の調整を好適に行うことができ、これによって、建物用枠材のカバーによる建物用枠材のカバー処理を容易に行うことが可能で、かつ仕上がり度合にばらつきが生じ難い建物用枠材のカバーを提供することを目的とする。
【課題を解決するための手段】
【０００６】
上記課題を解決するために、第１の発明は、表面に化粧シートが設けられた長手平面板と短手平面板とからなる断面視Ｌ字型の長尺状の薄板であって、短手平面板の裏面に長尺方向に沿って延びる複数の長溝が連続的に形成され、当該短手平面板の短手方向の中途部に前記長溝の谷の幅寸法を他の長溝よりも拡大した折り曲げ部を設けたことを特徴とする建物用枠材のカバーである。
【０００７】
上記の構成によれば、断面視Ｌ字型の長尺状の薄板の長手平面板の裏面と短手平面板の裏面とを、建物用枠材の内面とこの内面の一縁から直角に延びる面（以下、この面を「正面」と記載する）とに接触させるように、建物用枠材のカバーで建物用枠材を覆うことで、建物用枠材の内面と正面とを薄板でカバーすることができる。そして、薄板の短手平面板の幅寸法（内面に直交する方向の幅寸法）が、建物用枠材の正面の幅寸法（内面に直交する方向の幅寸法）よりも長い場合は、建物用枠材の正面に対して余った部分が発生する。建物用枠材の余った部分が過剰である場合は、短手平面板の長溝の谷に沿ってカッター等の切断具を用いて適切な寸法に切断される。即ち、切断作業が容易なものになっている。
【０００８】
また、建物用枠材の正面に対して余った部分が適切な大きさである場合は、折り曲げ部において建物用枠材の外面方向に曲折され、建物用枠材の内面、正面及び外面がカバーで覆われることになる。この際、折り曲げ部は、長溝の谷の幅寸法が他の長溝よりも拡大されているため、折り曲げ部の長溝を構成する傾斜面同士が当接し難くなっている。この結果、長溝を構成する傾斜面同士が当接することによる曲げ作業の困難性が解消されている。
【０００９】
これにより、上記の構成によれば、長溝が定規の役割を果たすと共に、折り曲げ部における拡大された溝幅の長溝が折り曲げ作業の支障にならないため、建物用枠材のカバーで建物用枠材を覆うカバー処理を容易に行うことができ、かつ、施工者の腕等によって、仕上がりにばらつきが生じることを防止することができる。
【００１０】
上記課題を解決するために、第２の発明は、表面に化粧シートが設けられた長手平面板と短手平面板とからなる断面視Ｌ字型の長尺状の薄板であって、長手平面板の側端縁を覆う長尺状のキャップを備えていることを特徴とする建物用枠材のカバーである。
【００１１】
上記の構成によれば、長手平面板の側端縁を寸法調整のために切断した場合に当該切断面に不陸が生じたとしても、キャップで覆うことで側端縁を不陸なく美麗に仕上げることができ、本カバーを枠材に取り付けたときの仕上げを綺麗にできる。これにより、建物用枠材のカバーで建物用枠材を覆うカバー処理を容易に行うことができ、かつ、施工者の腕等によって、仕上がりにばらつきが生じることを防止することができる。また、本カバーを窓枠などの枠材に取り付ける際に、キャップを先に取り付けるようにすれば、カバー本体の側端縁を取り付けたキャップに挿し込むことでカバー本体を仮止めでき、取付作業を容易に行うことができ、仕上がりも綺麗にできる。さらに、キャップを備えることで、窓に生じた結露等に対する止水効果も期待できる。
【００１２】
第２の発明における建物用枠材のカバーであって、長手平面板の裏面に長尺方向に沿って延びる複数の長溝を連続的に設けてもよい。
【００１３】
上記の構成によれば、長手平面板の寸法を調整する際に、長溝の谷に沿ってカッター等の切断具を用いて適切な寸法に切断することができるため、建物用枠材のカバーで建物用枠材を覆うカバー処理を容易に行うことができ、かつ、施工者の腕等によって、仕上がりにばらつきが生じることを防止することができる。
【００１４】
第２の発明における建物用枠材のカバーであって、長手平面板の裏面に長尺方向に沿って延びる突起部を所定のピッチで複数設けてもよい。
【００１５】
上記の構成によれば、長手平面板の側端縁を覆う長尺状のキャップの厚みにより建物用枠材の内面と長手平面板との間に隙間が生じることになっても、複数の突起部が所定のピッチで長手平面板を支持するため、長手平面板を建物用枠材の内面に沿った形状に長期間に亘って保持することができる。
【００１６】
第２の発明における建物用枠材のカバーであって、前記突起部の付け根にくびれ部を設けてもよい。
【００１７】
上記の構成によれば、例えば長手平面板を所望の寸法に切断した場合、突起部がカバー本体の側端縁近傍に位置してしまい、カバー本体の側端縁をキャップへ挿着するのが困難な場合など、突起部が不要である場合において、不要となった突起部の自由端側を押圧すると、最も変形し易いくびれ部を中心にして曲折させることができるため、容易に突起部を取り除くことができる。
【００１８】
第２の発明における建物用枠材のカバーであって、短手平面板の裏面に長尺方向に沿って延びる複数の長溝が連続的に形成され、当該短手平面板の短手方向の中途部に前記長溝の谷の幅寸法を他の長溝よりも拡大した折り曲げ部を設けてもよい。
【００１９】
上記の構成によれば、建物用枠材の正面に対して余ったカバー部分が存在する場合、折り曲げ部において建物用枠材の外面方向に曲折され、建物用枠材の内面、正面及び外面がカバーで覆われることになる。この際、折り曲げ部は、長溝の谷の幅寸法が他の長溝よりも拡大されているため、折り曲げ部の長溝を構成する傾斜面同士が当接し難くなっている。この結果、長溝を構成する傾斜面同士が当接することによる曲げ作業の困難性を解消することができる。
【００２０】
第２の発明における建物用枠材のカバーであって、前記折り曲げ部の長溝の溝深さが他の長溝よりも深いものでもよい。
【００２１】
上記の構成によれば、折り曲げ部における厚みが他の部分よりも薄いため、折り曲げ部の折り曲げ作業を容易に行うことができる。
【００２２】
尚、第１及び第２の発明では、断面視Ｌ字型の長尺状の薄板としているが、本発明においては、長尺状の平面薄板としてもよい。すなわち、本発明は、表面に化粧シートが設けられた長尺状の薄板であって、該薄板の裏面に長尺方向に沿って延びる複数の長溝が連続的に形成され、前記複数の長溝のうちの一部の長溝は、谷の幅寸法が他の長溝よりも拡大されて折り曲げ部を形成することを特徴とする建物用枠材のカバーも包含する。
【００２３】
上記の構成によれば、施工現場で枠材の寸法に合わせて折り曲げて用いることができるので、カバーを平らな状態で出荷のための包装、梱包を行うことができる。また、カバーの一方の側端縁を切断することで寸法合わせを行うことができる。
【００２４】
また、本発明は、上記長尺状の平面薄板の側端縁を覆うように長尺状のキャップを備えたものも包含する。
【発明の効果】
【００２５】
上記構成によれば、僅かな寸法の調整を好適に行うことができ、これによって、建物用枠材のカバーによる建物用枠材のカバー処理を容易に行うことが可能で、かつ仕上がり度合にばらつきが生じ難い建物用枠材のカバーを提供することができる。
【図面の簡単な説明】
【００２６】
【図１】カバーの建物用枠材（窓枠）への取付けを説明する図である。
【図２】カバーの建物用枠材（窓枠）への取付け過程を示す説明図である。
【図３】カバーの建物用枠材（窓枠）への取付け過程を示す説明図である。
【図４】カバーの突起部とキャップとの関係を示す説明図である。
【図５】カバーの建物用枠材（窓枠）への取付け過程を示す説明図である。
【発明を実施するための形態】
【００２７】
以下、本発明の好適な一実施形態について、図面を参照しつつ説明する。
（カバーの用途）
図１を用いて本実施形態にかかる建物用枠材のカバーの用途を説明する。図１は、本実施形態に係る建物用枠材（窓枠）とカバーとの斜視図であり、カバーの建物用枠材（窓枠）への取付けを説明する図である。カバー１は、リフォーム等のために、建物用枠材を覆うためのものである。建物用枠材としては、例えば、窓枠２等がある。本実施形態では、建物用枠材の一例として窓枠２をカバー１で覆う場合について説明する。尚、本発明の建物用枠材は、窓枠２に限定されず、建物に用いられる枠材であれば如何なるものであってもよい。
【００２８】
窓枠２は、壁等に形成された貫通孔に嵌め入れられた状態で固定される。本実施形態では、窓枠２は、壁等に嵌め入れられて水平方向に開口するように設けられているが、天井や床等に形成された貫通孔に嵌め入れられ、上下方向に開口するように設けられていてもよい。窓枠２は、本実施形態では正面視で矩形状の枠である。本実施形態では、窓枠２は、正面視で四角形状であり、例えば４つの断面視四角形状の長尺状体を組み合わせてなる枠体である。窓枠２における内面２１の外側（屋外側）には、窓３が嵌め入れられて固定されるようになっている。窓枠２では、その内面２１と、この内面２１に直角の正面２２と、この正面２２に直角であり、かつ内面２１に対向する外面２３とが、屋内側に現れるようになっている。
【００２９】
窓枠２の上側（図１の上側）、下側（図１の下側）、右側部側（図１の手前側）、左側部側（図１の奥側）にそれぞれ、カバー１が取り付けられ、合計４個のカバー１で窓枠２の屋内側に現れる箇所（内面２１、正面２２、外面２３）が覆われるようになっている。
【００３０】
（カバー１の構成）
以下に、図１から図３を用いてカバー１の構成について説明する。カバー１は、表面に化粧シート１２が設けられた長手平面板１１１と短手平面板１１２とからなる断面視Ｌ字型の長尺状の薄板１１を有している。薄板１１には、短手平面板１１２及び長手平面板１１１の裏面に長尺方向に沿って延びる複数の凹部１１１１Ａ（長溝）が連続的に形成されている。
【００３１】
これにより、カバー１は、断面視Ｌ字型の長尺状の薄板１１の長手平面板１１１の裏面と短手平面板１１２の裏面とを、窓枠２の内面２１とこの内面２１の一縁から直角に延びる正面２２とに接触させるように、カバー１で窓枠２を覆うことで、窓枠２の内面２１と正面２２とをカバーすることができる。また、短手平面板１１２の幅寸法（内面２１に直交する方向の幅寸法）が、窓枠２の正面２２の幅寸法（内面２１に直交する方向の幅寸法）よりも長い場合は、窓枠２の正面２２に対して過剰に余っていれば、短手平面板１１２の凹部１１１１Ａに沿ってカッター等の切断具を用いて適切な寸法に容易に切断される。
【００３２】
薄板１１における短手平面板１１２の短手方向の中途部には、折り曲げ部１１１１Ｂが設けられている。折り曲げ部１１１１Ｂは、窓枠２における正面２２の複数の短手方向寸法に合わせて複数個所に設けられている。折り曲げ部１１１１Ｂは、凹部１１１１Ａの谷の幅寸法を他の凹部１１１１Ａよりも拡大することにより形成されている。これにより、カバー１は、折り曲げ部１１１１Ｂにおいて曲折され、窓枠２の外面２３を覆ったときに、折り曲げ部１１１１Ｂの谷の幅寸法が他の凹部１１１１Ａよりも拡大されているため、折り曲げ部１１１１Ｂの凹部１１１１Ａを構成する傾斜面同士が当接し難くなっている。この結果、凹部１１１１Ａを構成する傾斜面同士が当接することによる曲げ作業の困難性が解消されている。
【００３３】
以上のように、カバー１は、凹部１１１１Ａが定規の役割を果たすと共に、折り曲げ部１１１１Ｂにおける拡大された溝幅の凹部１１１１Ａが折り曲げ作業の支障にならないため、窓枠２を覆うカバー処理を容易に行うことができ、かつ、施工者の腕等によって、仕上がりにばらつきが生じることを防止することができるようになっている。
【００３４】
具体的に説明すると、カバー１は、折曲部１１Ａで折り曲げられた形状を有する断面視Ｌ字型の長尺状の薄板１１と、薄板１１の山折り側の表面に設けられた化粧シート１２とを備えている。この構成によって、薄板１１の谷折り側の表面を窓枠２の内面２１とこの内面２１の正面２２とに接触させるように、カバー１で窓枠２を覆うことで、窓枠２の内面２１と正面２２とを薄板１１でカバーすることができる。
【００３５】
薄板１１は、例えば、樹脂製や金属製の部材である。薄板１１は、厚みのある四角形状を有する長尺な平板が、その長手方向に直線状に延びる折曲部１１Ａにおいて、短手方向に略直角に折り曲げられた形状を有し、これによって、薄板１１において、折曲部１１Ａを基準とした２つの平板部が形成されている。尚、この２つの平板部のうちの長手平面板１１１が、窓枠２の内面２１の上に配置され、この２つの平板のうち短手平面板１１２が、窓枠２の正面２２の上に配置される。折曲部１１Ａは、薄板１１において短手方向の中央から偏った位置に設けられており、これによって、長手平面板１１１の短手方向の寸法が、短手平面板１１２の短手方向の寸法よりも長くなっている。例えば、長手平面板１１１の短手方向の寸法は１３０ｍｍであり、短手平面板１１２の短手方向の寸法は５０ｍｍである。
【００３６】
また、長手平面板１１１及び短手平面板１１２の窓枠２（内面２１・正面２２）に接触する側の面において、折曲部１１Ａから所定長離れた部位から一端縁及び他端縁までのそれぞれ領域に亘って、凹凸部１１１１が形成されている。凹凸部１１１１は、図２に示すように、薄板１１の長手方向に沿って延びる複数の凹部１１１１Ａを有する。これによって、薄板１１の一方縁側及び他方縁側における複数の凹部１１１１Ａの何れかの位置で薄板１１を切断することでサイズ調整を行うことができる。
【００３７】
凹部１１１１Ａの位置は、厚みが薄くなっているため、凹部１１１１Ａでの切断が容易になり、カバー１のサイズ調整が容易になる。また、複数の凹部１１１１Ａは、溝状に形成されており、幅狭になっているため、刃物と切断位置との位置合わせが容易になる。これによって、直線状に美麗に薄板１１を切断することができるようになっている。また、溝状の複数の凹部１１１１Ａによって、接着剤を介してカバー１を窓枠２に取り付ける際に、接着し易くなっている。
【００３８】
また、薄板１１における短手平面板１１２の短手方向の中途部には、折り曲げ部１１１１Ｂが設けられている。折り曲げ部１１１１Ｂは、窓枠２における正面２２の複数の短手方向寸法に合わせて複数個所に設けられている。折り曲げ部１１１１Ｂは、凹部１１１１Ａの谷の幅寸法を他の凹部１１１１Ａよりも拡大することにより形成されている。換言すれば、折り曲げ部１１１１Ｂは、直角に曲折したときに、折り曲げ部１１１１Ｂを構成する傾斜面同士が当接しないように、溝深さと溝寸法とが設定されている。
【００３９】
尚、折り曲げ部１１１１Ｂは、溝深さが他の凹部１１１１Ａよりも深くされていてもよい。この場合は、折り曲げ部１１１１Ｂにおける厚みが他の部分よりも薄いため、折り曲げ作業を容易に行うことができる。
【００４０】
化粧シート１２は、例えば樹脂、紙等からなり、薄板１１に設けられていない状態では平面視で四角形状を有し、長手平面板１１１と短手平面板１１２における、窓枠２上に配置される面とは反対側の面に亘って設けられている。化粧シート１２は、両面テープの一方面が貼着された後、他方面側の剥離紙を剥がして、薄板１１に対して押圧することによって、薄板１１の山折り側に取り付けられている。
【００４１】
カバー１は、薄板１１における長手平面板１１１の側端縁である他方端縁を覆う長尺状のキャップ１３を備えている。キャップ１３は、断面視で略コ字状の長尺の部材であり、上下に並ぶ２つの長尺な板状部１３１、１３２と、下側の板状部１３２の一端から起立してその上端が上側の板状部１３１の一縁に繋がるよう形成された起立部１３３とからなる。キャップ１３の下側の板状部１３２の表面には、接着テープが取り付けられている。
【００４２】
本実施形態では、両面テープの一方面が貼着されている。出荷状態では、両面テープの他方面側には剥離紙が取り付けられている。使用時においては、カバー１の長手平面板１１１の他方端縁にキャップ１３が取り付けられた後、両面テープの剥離紙を剥がして、施工者の手で窓枠２の内面２１の奥縁部に対して貼着される。或いは、両面テープの剥離紙を剥がして、施工者の手で窓枠２の内面２１の奥縁部に対して貼着された後、このキャップ１３にカバー１の長手平面板１１１の他方端縁が取り付けられる。
【００４３】
キャップ１３には、上側の板状部１３１の下面に化粧シート１２が当接し、下側の板状部１３２の上面に薄板１１の長手平面板１１１の下面が当接し、起立部１３３の内面に長手平面板１１１の側面が当接するように、長手平面板１１１の端縁（薄板１１の他方端縁）が嵌め入れられるようになっている。これによって、薄板１１を凹凸部１１１１における複数の凹部１１１１Ａの何れかで切断した場合でも、切断面をキャップ１３で覆い隠すことができため、薄板１１の他方縁側を美麗に仕上げることができる。キャップ１３は、例えば、樹脂製、金属製、ゴム製等からなり、このキャップ１３をカバー１の薄板１１の他方端縁に取り付けることによって、長手平面板１１１の他方端縁から化粧シート１２が剥離するのを防止することができる。尚、キャップ１３の形状は、かかる形状に限定されず、薄板１１における他方端縁を覆うことが出来れば、如何なる形状を採用してもよい。
【００４４】
（カバーの製造方法）
薄板１１とキャップ１３とは、例えばＡＢＳ樹脂等の熱可塑性樹脂を射出成型等することによって製造することができる。その後に、薄板１１のサイズに合わせて四角形状にカットされた化粧シート１２を、薄板１１の山折り側の表面に接着剤を介して貼着する。また、キャップ１３は、形状の安定性等のために、キャップ１３の起立部１３３、又は上側の板状部１３１及び起立部１３３等、キャップ１３の一部の表面に熱可塑性エラストマー等の軟質性樹脂を設けるようにしてもよい。
【００４５】
（カバーの窓枠への取り付け方法）
図２及び図３を参照して、カバー１を窓枠２に取り付ける方法を説明する。図３は、カバーを窓枠へ取り付けた状態を示す説明図である。尚、図３は、図１において窓枠２の下側部分にカバー１を取り付けた状態におけるＡ−Ａ矢視断面を示している。
【００４６】
先ず、窓枠２の下側にカバー１を取り付ける方法を説明する。窓枠２の内面２１における窓３と直交する方向（図３の左右方向）の寸法を計る。この計った寸法に基づいて、凹凸部１１１１における複数の凹部１１１１Ａのうちの何れか一つで、カバー１を切断する。この切断部分に、キャップ１３を嵌め入れる。尚、キャップ１３を予め窓枠２に設けておいてもよい。また、必要に応じて短手平面板１１２においても、凹凸部１１１１における複数の凹部１１１１Ａのうちの何れか一つで、カバー１を切断する。
【００４７】
次に、キャップ１３の下側の板状部１３２の表面の両面テープの剥離紙を剥がすとともに、窓枠２の内面２１及び正面２２、或いは長手平面板１１１の窓枠２側の面と短手平面板１１２の窓枠２側の面とに亘って、接着剤を塗布して、長手平面板１１１を窓枠２の内面２１に貼着し、短手平面板１１２を窓枠２の正面２２に貼着する。その後、窓枠２における正面２２の下縁に対応した位置の折り曲げ部１１１１Ｂが曲折されることによって、短手平面板１１２の端部側が窓枠２の外面２３に貼着される。この際、折り曲げ部１１１１Ｂにおいて曲折されたときに、折り曲げ部１１１１Ｂの谷の幅寸法が他の凹部１１１１Ａよりも拡大されているため、折り曲げ部１１１１Ｂの凹部１１１１Ａを構成する傾斜面同士が当接し難くなっていることから、容易に曲げ作業を行うことができる。
【００４８】
同様にして、窓枠２の上側、右側部側、左側部側にそれぞれ、カバー１を取り付ける。尚、カバー１は取付ける窓枠等の幅寸法に合わせて切断すれば、多様なサイズの窓枠などに対して用いることができ、例えば、窓枠２の正面の四隅をカバーするために、カバー１の長手平面板１１１よりも短手平面板１１２の両端が長くなるようにカットして用いることができる。
【００４９】
上述では、カバー１を、キャップ１３を用いて取り付けるようにしたが、キャップ１３を用いず、カバー１のみ窓枠２等に取り付けるようにしてもよい。また、上述では、窓枠２の寸法を計ったうえで、カバー１の長さを切断により調整するようにしたが、カバー１を窓枠２のカバー部分に押し当てて窓枠２の形状に合わせて折り曲げながら長さを調整するようにしてもよい。こうすると、折り曲げ部１１１１Ｂでの折り曲げが必要以上の角度になることなく折り曲げることができるので、表面の化粧シート１２が変色したり破断したりすることを軽減することができる。さらに、上述では、キャップ１３をカバー１に嵌め入れた後に、窓枠２に取り付けるようにしているが、先にキャップ１３を窓枠とサッシ枠との見切に取り付け、その後カバー１を、その側端縁をキャップ１３に挿し込みながら窓枠２に取り付けるようにすることもできる。この場合、カバー１（カバー本体）の一側端縁を仮止めできて取付作業をより容易に行うことができる。さらにまた、上述では、カバー１を接着剤で窓枠２に取り付けるようにしたが、両面テープを用いて取り付けることもできる。この場合、両面テープの一面を予めカバー１の裏面に貼着しておくこともできる。
【００５０】
以上、本発明の好適な実施形態について説明したが、これに限定されるものではない。即ち、図４及び図５に示すように、カバー１は、長手平面板１１１の裏面（内面２１に対向する面）に長尺方向に沿って延びる突起部１１１２を所定のピッチで複数備えていてもよい。突起部１１１２の突出長は、板状部１３２の厚みに一致されている。尚、所定のピッチは、厳密に等間隔を意味するものではなく、非等間隔であってもよく、カバー１を窓枠２に取り付けたときにカバー１に不陸が生じないように突起部１１１２が長手平面板１１１の短手方向にバランス良く配置されるピッチを意味する。
【００５１】
このような突起部１１１２をカバー１が備えた場合は、長手平面板１１１の側端縁を覆う長尺状のキャップ１３の厚みにより窓枠２の内面２１と長手平面板１１１との間に隙間が生じることになっても、複数の突起部１１１２が所定のピッチで長手平面板１１１を支持するため、長手平面板を窓枠２の内面２１に沿った形状に長期間に亘って保持することができる。さらに、カバー１は、突起部１１１２を所定のピッチで複数備えることによって、長手平面板１１１を大きな幅で切断した場合でも、キャップ１３から所定のピッチ内に突起部１１１２を位置させることができる。
【００５２】
尚、突起部１１１２は、付け根にくびれ部１１１２ａを設けてもよい。この場合は、例えば長手平面板１１１を所望の寸法に切断した場合のように、突起部１１１２が不要である場合において、不要となった突起部１１１２の自由端側を押圧すると、最も変形し易いくびれ部１１１２ａを中心にして曲折させることができるため、容易に突起部１１１２を取り除くことができる。尚、くびれ部１１１２ａは、突起部１１１２の付け根の一方側だけ設けるようにしてもよい。
【００５３】
また、カバー１（カバー本体）を、断面視Ｌ字型の長尺状の薄板ではなく、長尺状の平面薄板としてもよい。つまり、カバー１を表面に化粧シートが設けられた長尺状の薄板とし、該薄板の裏面に長尺方向に沿って延びる複数の長溝（凹部１１１１Ａ）を連続的に形成し、複数の長溝のうちの一部の長溝の谷の幅寸法を他の長溝よりも広くして折り曲げ部１１１１Ｂとしておくことで、例えば、施工現場において、窓枠２の内面２１、正面２２及び外面２３に合わせて、２カ所で折り曲げることによってコ字状に成形して用いることができる。また、寸法調整を、カバー本体の一方側の側端縁を切断することで行うことができる。この場合、上述の実施形態と同様に、キャップ１３を適用してもよいし、突起部１１１２を適用してもよい。
【符号の説明】
【００５４】
１            カバー１
２            窓枠（建物用枠材）
１１          薄板
１１１１Ａ    凹部
１２          化粧シート
１３          キャップ
【図１】
2016102321.tif 000003
【図２】
2016102321.tif 000004
【図３】
2016102321.tif 000005
【図４】
2016102321.tif 000006
【図５】
2016102321.tif 000007